(57)【要約】【課題】  容易かつ効率的に栽培を行うことのできる水耕栽培用球根固定具を提供する。【解決手段】  にんにくの鱗片１０は、一つの平面に沿って延びる環状の線材２０により貫通されて固定され、トレイ４０上に載置される。収穫までの間、水３０の交換やトレイ４０の清掃、日照時間や温度の調節のためのトレイ４０の移動等の作業が行われるが、各鱗片１０は固定されているため倒伏が生じることはない。また各鱗片１０をトレイ４０から取り出す必要がある場合には、水耕栽培用球根固定具により固定したまま取り出し、作業後に戻すことができ、作業を容易且つ効率的に行うことができる。【選択図】      図１
0003140214.tif 000002
【実用新案登録請求の範囲】
【請求項１】
一つの平面に沿って延び、複数の球根を貫通することにより各球根を固定できる少なくとも一本の線状部材を含むことを特徴とする水耕栽培用球根固定具。
【請求項２】
球根はにんにくの鱗片である請求項１に記載の水耕栽培用球根固定具。
【請求項３】
各球根は発芽部を有し、各球根の発芽部が線状部材の構成する平面の一方に面するように固定されている請求項１又は２に記載の水耕栽培用球根固定具。
【考案の詳細な説明】
【技術分野】
【０００１】
本考案は球根を利用した水耕栽培に関し、特に容易かつ効率的に栽培を行うことのできる水耕栽培用球根固定具に関する。
【背景技術】
【０００２】
球根から延びる葉野菜を収穫する方法として、通常の土壌栽培のほか、水や養液に球根を浸して栽培する水耕栽培が実用されている。なお本明細書において「球根」とは鱗茎・球茎・塊茎・根茎・塊根のような球状または塊状をした地下茎や根及びその一部（鱗片等）のほか、根菜の葉の付いた部分や芋類の地下茎や根等も含むものとし、食用・園芸用を問わない。典型的には、本考案に係る水耕栽培用球根固定具に適用される球根は、にんにくである。
【０００３】
にんにくは、球根（複数の鱗片からなる）をそのまま食すほか、中華料理などでは葉にんにくも炒め物などに使用する。葉にんにくが水耕栽培可能であることは既に報告されている（特開２００６−１７４７４４）。しかしながら、例えばトレイ上ににんにくの鱗片を単に載置するとなると、多数並べるには非常に手間と時間を要し、また水の交換作業などにより倒伏が起きると葉の成長にバラツキを生じ、収穫作業も面倒になる。テープやシートに種子を固定する水耕栽培方法も提案されているが（特開２００３−２３５３７１）、球根では倒伏などの問題は解決し得なかった。
【０００４】
【特許文献１】特開２００６−１７４７４４公報
【特許文献２】特開２００３−２３５３７１公報
【考案の開示】
【考案が解決しようとする課題】
【０００５】
よって本考案の目的は、容易かつ効率的に栽培を行うことのできる水耕栽培用球根固定具を提供することにある。
【課題を解決するための手段】
【０００６】
上記目的を達成するために本考案は、一つの平面に沿って延び、複数の球根を貫通することにより各球根を固定できる少なくとも一本の線状部材を含んで水耕栽培用球根固定具を構成した。
【０００７】
本考案に係る水耕栽培用球根固定具によると、線状部材に複数の球根を貫通して各球根を固定して、水耕栽培用のトレイ等に入れられた水や養液の液面に球根が浸るように水耕栽培用球根固定具を配置する。このとき、各球根に発芽部がある場合には、各球根の発芽部が線状部材の構成する平面の一方に面するように固定しておき、球根の発芽部が空気中に、発芽部の反対側が液中に位置するように、水耕栽培用球根固定具を配置することが望ましい。
【０００８】
よって本発明に係る水耕栽培用球根固定具においては、植え付け時には各球根に線状部材を貫通させて、トレイ上にそのまま配置すれば足り、複数の球根を並べる面倒な作業を省略できる。また水・養液の交換作業やトレイを移動させる際にも球根の位置が固定されているので、栽培中に倒伏が生ずることもない。
【考案の効果】
【０００９】
以上のように、本考案に係る水耕栽培用球根固定具によると、栽培の作業を効率よく行うことができ、また倒伏が生じないので収率も高めることができる。
【考案を実施するための最良の形態】
【００１０】
以下、図面を参照しつつ本考案に係る水耕栽培用球根固定具の実施の形態について詳細に説明する。なお、以下の説明は考案をより深く理解するためのものであって、実用新案登録請求の範囲を限定するためのものではない。
【００１１】
図１は、本考案に係る水耕栽培用球根固定具の実施の形態を示す斜視図である。同図において、球根はにんにくの鱗片１０であり、複数の鱗片１０は環状の線材２０により貫通されている。各鱗片１０の発芽部１２は、環状の線材２０が構成する平面の一方に面するように固定されている。鱗片１０は、隣接する鱗片１０同士が栽培に最適な間隔になるように固定され、これにより葉にんにくの収率を向上させることができる。
【００１２】
線材２０は図１では一本の環状であるが、図２に示すように多重の環状や直線状やハート型や放射状等、適当な形状とすることができる。線材２０の材質はステンレスであるが、その他に鉄（針金）、銅、プラスチック、木などを利用することができる。また適当な把手やトレイに対する固定具などが付属していてもよい。線材２０の球根を貫通するための先端は、球根に刺し込みやすいようにテーパや刃を設けたりすることもできる。線材２０の断面は、円形でもよいが、貫通させた球根が線材２０の軸線を中心に回転するおそれがある場合には、長方形など回転を防止できる形状としてもよい。同様に、線材２０が一つの球根に対し二本以上を貫通させれば回転を防止することができる。
【００１３】
複数の鱗片１０を固定させた水耕栽培用球根固定具は、水３０の入れられた浅いトレイ４０の上に載置される。この際、鱗片１０の発芽部１２が上方を向くように配置する。その後、常法にて葉にんにくの水耕栽培を行うことにより、にんにくの葉を収穫することができる。
【００１４】
なおトレイ４０は図示のような浅いものに限定されることはなく、深いものでもよいが、その場合には水耕栽培用球根固定具には前述したようにトレイに対する固定具を付設したり、水３０上に浮かせるための浮きを備えるようにしてもよい。
【００１５】
トレイ４０に入れられている水は、植物の発育に必要な適当な養分を含む養液でもよく、また収穫される葉にんにくに含まれるミネラル分を高めるためのミネラルを混合させてもよい。
【００１６】
次に本実施の形態の作用について説明する。
【００１７】
にんにくの各鱗片１０は、にんにくの球根から一つ一つ外され、皮が剥かれる。次に鱗片１０は一つずつ線材２０の先端が突き刺され、線材２０の適当な場所まで移動される。この際、球根の種類や栽培条件等に応じて、鱗片１０は適当な間隔に配置されるが、にんにくの場合には相互に密着していてもよい。所定の数の鱗片１０を貫通させた後、線材２０の両端を接続することにより、一つの平面に沿って延びる環状の水耕栽培用球根固定具が形成される。線材２０の両端は例えばスリーブ（図示していない）でかしめることにより接続する。
【００１８】
鱗片１０が貫通された水耕栽培用球根固定具は図１のようにトレイ４０上に載置される。収穫までの間、水３０の交換やトレイ４０の清掃、日照時間や温度の調節のためのトレイ４０の移動等の作業が行われるが、各鱗片１０は固定されているため倒伏が生じることはない。また各鱗片１０をトレイ４０から取り出す必要がある場合には、水耕栽培用球根固定具により固定したまま取り出し、作業後に戻すことができ、作業を容易且つ効率的に行うことができる。収穫時にも、水耕栽培用球根固定具を取り出して、葉にんにくを収容する容器の上まで移動させて葉を刈れば作業が容易に行える。
【００１９】
以上、本考案の実施例について説明したが、本考案は上記実施例に限定されるものではなく、本考案の要旨の範囲内において、適宜変形実施が可能であることは言うまでもない。
【図面の簡単な説明】
【００２０】
【図１】図１は、本考案に係る水耕栽培用球根固定具の実施の形態を示す斜視図である。
【図２】図２は、図１に示した以外の本考案に係る水耕栽培用球根固定具の実施の形態を示す斜視図である。
【符号の説明】
【００２１】
１０  鱗片
１２  発芽部
２０  線材
３０  水
４０  トレイ
【図１】
0003140214.tif 000003
【図２】
0003140214.tif 000004